(57)【特許請求の範囲】
【請求項１】
温度特性を有する入力信号の該温度特性を補正するための調整信号を生成する温度特性補正回路において、
補正電圧を生成する複数の第１補正用増幅器及び第２補正用増幅器を備え、
前記各第１補正用増幅器は、入力端子に入力される直線状の温度特性を備えた第１温度依存信号と温度に依存しない第１基準信号との差分を増幅する差動増幅器と、該差動増幅器の出力端子がゲートに接続されるトランジスタとを含み、前記各第１補正用増幅器の出力端子である各トランジスタのドレインを接続し、
前記第２補正用増幅器は、曲線状の温度特性を備えた第２温度依存信号と前記第１基準信号と異なる第２基準信号とに基づいて、前記各第１補正用増幅器にて生成される前記補正電圧とは異なる補正電圧を生成し、
前記第２補正用増幅器の出力端子と前記各第１補正用増幅器の出力端子とを接続し、
各温度において、前記複数の補正電圧のうち、最も電圧値の低い補正電圧あるいは最も電圧値の高い補正電圧を前記調整信号として出力することを特徴とする温度特性補正回路。
【発明の詳細な説明】
【技術分野】
【０００１】
本発明は、温度特性補正回路に関するものである。
【背景技術】
【０００２】
従来、センサの小型化が進み、その出力信号が微小化されているため、センサの出力信号を検出して増幅するセンサ用増幅回路が広く用いられている。センサの出力信号には温度特性があるため、センサ用増幅回路はセンサの出力信号の温度特性を補正して増幅している。上記出力信号の温度特性は、単に増加又は減少するものだけでなく、電圧変化の傾きが所定温度の高低で相違するものがある。例えば、図２１に示すように、センサ（図示略）の出力信号Ｖｓの温度特性が所定の傾き（例えば、Ｖ字状の傾き）を持つ場合には、温度特性補正回路８０が出力信号Ｖｓの傾きを相殺するようにオフセット調整する調整電圧Ｖａを生成する。そして、出力信号Ｖｓの入力されるセンサ用増幅回路９０に調整電圧Ｖａが入力されると、センサ用増幅回路９０によって、出力信号Ｖｓの温度特性が補正された増幅信号Ｖｏｕｔが生成される。
【０００３】
上記調整電圧Ｖａを生成する温度特性補正回路８０について図２２に従って説明する。なお、図２１に示したＶ字状の傾きを有する調整電圧を生成する場合について説明する。
図２２に示すように、補正用増幅器８１の一対の入力端子には、図２３（ａ）に示すような温度特性を備えた温度依存電圧Ｖｔと、温度に関わらず一定電圧となる基準電圧Ｖｒｅｆとが入力される。補正用増幅器８１は、基準電圧Ｖｒｅｆを基準にして、抵抗Ｒ１１及び帰還抵抗Ｒ１２による利得に基づいて、温度依存電圧Ｖｔを反転させた補正電圧Ｖｃを生成する。上記温度依存電圧Ｖｔ及び基準電圧Ｖｒｅｆは、コンパレータ８２にも入力される。コンパレータ８２は、温度依存電圧Ｖｔと基準電圧Ｖｒｅｆとの電圧値を比較し、その比較結果に基づいてスイッチＳ１及びスイッチＳ２を切り替える選択信号ＳＳを出力する。
【０００４】
詳述すると、温度依存電圧Ｖｔが基準電圧Ｖｒｅｆよりも高い（図２３に破線で示した切替温度Ｔｓよりも低温側の）場合には、コンパレータ８２はＨレベルの選択信号ＳＳをスイッチＳ１，Ｓ２に出力する。このＨレベルの選択信号ＳＳによって、スイッチＳ１の第１端子ａ１１と共通端子ｃ１１とが接続されるとともに、スイッチＳ２の第１端子ａ１２と共通端子ｃ１２とが接続される。すると、スイッチＳ１の第１端子ａ１１に接続されたレジスタｒ１に予め格納された設定値に基づいて、帰還抵抗Ｒ１２の抵抗値が設定され、補正用増幅器８１の利得（例えば「２」）が設定される。そして、補正用増幅器８１によって、基準電圧Ｖｒｅｆを基準にして、温度依存電圧Ｖｔが利得「２」に基づいて反転された補正電圧Ｖｃ（図２３（ｂ）の一点鎖線参照）が生成される。この補正電圧Ｖｃは、スイッチＳ２の第１端子ａ１２と共通端子ｃ１２とが接続されているため、反転器８３によって反転されて調整電圧Ｖａ（図２３（ｂ）の実線参照）として上記センサ用増幅回路９０に出力される。
【０００５】
一方、温度依存電圧Ｖｔが基準電圧Ｖｒｅｆよりも低い（切替温度Ｔｓよりも高温側の）場合には、コンパレータ８２はＬレベルの選択信号ＳＳをスイッチＳ１，Ｓ２に出力する。このＬレベルの選択信号ＳＳによって、スイッチＳ１の第２端子ｂ１１と共通端子ｃ１１とが接続されるとともに、スイッチＳ２の第２端子ｂ１２と共通端子ｃ１２とが接続される。すると、スイッチＳ１の第２端子ｂ１１に接続されたレジスタｒ２に予め格納された設定値に基づいて、帰還抵抗Ｒ１２の抵抗値が設定され、補正用増幅器８１の利得（例えば「１」）が変更される。そして、補正用増幅器８１によって、基準電圧Ｖｒｅｆを基準にして、温度依存電圧Ｖｔが利得「１」に基づいて反転された補正電圧Ｖｃ（図２３（ｂ）の二点鎖線参照）が生成される。この補正電圧Ｖｃは、スイッチＳ２の第２端子ｂ１２と共通端子ｃ１２とが接続されているため、そのまま調整電圧Ｖａ（図２３（ｂ）の実線参照）としてセンサ用増幅回路９０に出力される。このようにして、温度特性補正回路８０において、切替温度Ｔｓを中心にした低温側及び高温側で傾きの異なるＶ字状の調整電圧Ｖａを生成することができる。
【０００６】
なお、この種の温度特性補正回路及びセンサ用増幅回路としては、例えば特許文献１が知られている。
【特許文献１】特開平６−３０７９４５号公報
【発明の開示】
【発明が解決しようとする課題】
【０００７】
ところで、上述した温度特性補正回路８０では、コンパレータ８２によって、スイッチＳ１，Ｓ２の選択切替、すなわち調整電圧Ｖａの傾きの切替が行われている。すなわち、コンパレータ８２における温度依存電圧Ｖｔと基準電圧Ｖｒｅｆとの比較結果に基づいて、調整電圧Ｖａの傾きの切替が行われる。一般に、コンパレータ８２の特性として、切替温度Ｔｓ付近において高周波のノイズが混入すると、そのノイズによってＨレベルとＬレベルの出力が繰り返されることが知られている。このようなコンパレータ８２の発振に類似する現象を抑制する方法として、ヒステリシス特性を付加することが一般に行われる。しかしながら、このようなヒステリシスを付加したコンパレータでは、図２３（ｂ）の切替温度Ｔｓ付近の拡大図に示すように、ヒステリシス幅Ｈの分だけ切替点がずれて、不連続点の段差が生じてしまう。従って、ヒステリシス幅Ｈだけコンパレータの感度が低下し、ひいては温度特性の補正の精度が低下する。
【０００８】
本発明は上記問題点を解決するためになされたものであって、その目的は、コンパレータを使用せずに、調整電圧の傾きの切り替えを滑らかに行って温度特性の補正精度を向上させることのできる温度特性補正回路を提供することにある。
【課題を解決するための手段】
【０００９】
本発明は、温度特性を有する入力信号の該温度特性を補正するための調整信号を生成する温度特性補正回路において、補正電圧を生成する複数の第１補正用増幅器及び第２補正用増幅器を備え、前記各第１補正用増幅器は、入力端子に入力される直線状の温度特性を備えた第１温度依存信号と温度に依存しない第１基準信号との差分を増幅する差動増幅器と、該差動増幅器の出力端子がゲートに接続されるトランジスタとを含み、前記各第１補正用増幅器の出力端子である各トランジスタのドレインを接続し、前記第２補正用増幅器は、曲線状の温度特性を備えた第２温度依存信号と前記第１基準信号と異なる第２基準信号とに基づいて、前記各第１補正用増幅器にて生成される前記補正電圧とは異なる補正電圧を生成し、前記第２補正用増幅器の出力端子と前記各第１補正用増幅器の出力端子とを接続し、各温度において、前記複数の補正電圧のうち、最も電圧値の低い補正電圧あるいは最も電圧値の高い補正電圧を前記調整信号として出力することを特徴とする。
【発明の効果】
【００１０】
以上説明したように、本発明によれば、コンパレータを使用せずに、調整電圧の傾きの切り替えを滑らかに行って温度特性の補正精度を向上させることが可能な温度特性補正回路を提供することができる。
【発明を実施するための最良の形態】
【００１１】
（第１実施形態）
以下、本発明を具体化した第１実施形態を図１〜図４に従って説明する。
図１に示すように、温度特性補正回路１の入力端子Ｔ１には、温度特性を備えた温度依存電圧Ｖｔ（図２参照）が入力され、入力端子Ｔ２には、温度に関わらず一定電圧となる温度特性を備えた基準電圧Ｖｒｅｆ（図２参照）が入力される。この温度依存電圧Ｖｔは、トランジスタあるいはダイオードのＰＮ接合部の順方向電圧にて生成され、図２に示すように、温度変化に対し例えば−２ｍＶ／℃で直線的に変化する温度特性を備える。基準電圧Ｖｒｅｆは、例えばバンドギャップリファレンス電圧にて生成される。さらに、本実施形態の温度依存電圧Ｖｔ及び基準電圧Ｖｒｅｆについて詳述すると、切替温度Ｔｓ（図２の破線参照）よりも低温側では、温度依存電圧Ｖｔが基準電圧Ｖｒｅｆよりも高くなり、切替温度Ｔｓよりも高温側では、温度依存電圧Ｖｔが基準電圧Ｖｒｅｆよりも低くなる。また、切替温度Ｔｓのときには、温度依存電圧Ｖｔと基準電圧Ｖｒｅｆとが等しくなる。
【００１２】
図１に示すように、温度依存電圧Ｖｔは、スイッチＳＷ１の第１端子ａ１に入力されるとともに、スイッチＳＷ２の第１端子ａ２に入力される。また、温度依存電圧Ｖｔは、抵抗Ｒ１を介して増幅器１０の反転入力端子に入力される。この増幅器１０の非反転入力端子には、基準電圧Ｖｒｅｆが入力される。
【００１３】
増幅器１０は、基準電圧Ｖｒｅｆを基準にして、抵抗Ｒ１及び帰還抵抗Ｒ２による利得に基づいて、温度依存電圧Ｖｔを反転させた反転電圧ＸＶｔ（図２の一点鎖線参照）を生成する。増幅器１０は、生成した反転電圧ＸＶｔを、スイッチＳＷ１の第２端子ｂ１及びスイッチＳＷ２の第２端子ｂ２に出力する。これら増幅器１０、抵抗Ｒ１及び帰還抵抗Ｒ２により反転増幅回路が構成されている。なお、帰還抵抗Ｒ２は、可変抵抗で構成され、センサの出力信号Ｖｓ（図２１参照）に基づいて制御部（図示略）から出力される制御信号ＣＳ１によってその抵抗値が調整される。この帰還抵抗Ｒ２の抵抗値を調整することによって、増幅器１０による反転増幅回路の利得を調整することができる。本実施形態では、増幅器１０による反転増幅回路の利得が「１」になるように帰還抵抗Ｒ２の抵抗値が設定されている。
【００１４】
スイッチＳＷ１は、第１及び第２端子ａ１，ｂ１と共通端子ｃ１を持ち、第１端子ａ１が入力端子Ｔ１に接続され、第２端子ｂ１が増幅器１０の出力端子に接続され、共通端子ｃ１が抵抗Ｒ３を介して補正用増幅器２０の反転入力端子に接続されている。従って、第１端子ａ１と共通端子ｃ１とが接続されると（図１のスイッチＳＷ１における実線参照）、補正用増幅器２０の反転入力端子に温度依存電圧Ｖｔが入力される。また、第２端子ｂ１と共通端子ｃ１とが接続されると（図１のスイッチＳＷ１における破線参照）、補正用増幅器２０の反転入力端子に反転電圧ＸＶｔが入力される。なお、このスイッチＳＷ１の選択切替は、センサの出力信号Ｖｓの温度特性に基づいて制御部（図示略）から出力される制御信号ＣＳ２によって行われる。
【００１５】
補正用増幅器２０の非反転入力端子には、入力端子Ｔ２が接続され、基準電圧Ｖｒｅｆが入力される。補正用増幅器２０は、基準電圧Ｖｒｅｆを基準にして、抵抗Ｒ３及び帰還抵抗Ｒ４による利得に基づいて、温度依存電圧Ｖｔあるいは反転電圧ＸＶｔを反転させた第１補正電圧Ｖｃ１を生成する。補正用増幅器２０は、生成した第１補正電圧Ｖｃ１をオア部４０に出力する。なお、帰還抵抗Ｒ４は、可変抵抗で構成され、帰還抵抗Ｒ２と同様に、センサの出力信号Ｖｓの温度特性に基づいて制御部（図示略）から出力される制御信号ＣＳ３によってその抵抗値が調整される。本実施形態では、抵抗Ｒ３及び帰還抵抗Ｒ４による利得が「１」になるように帰還抵抗Ｒ４の抵抗値が設定されている。
【００１６】
スイッチＳＷ２は、第１及び第２端子ａ２，ｂ２と共通端子ｃ２を持ち、第１端子ａ２が入力端子Ｔ１に接続され、第２端子ｂ２が増幅器１０の出力端子に接続され、共通端子ｃ２が抵抗Ｒ５を介して補正用増幅器３０の反転入力端子に接続されている。従って、第１端子ａ２と共通端子ｃ２とが接続されると（図１のスイッチＳＷ２における実線参照）、補正用増幅器３０の反転入力端子に温度依存電圧Ｖｔが入力される。また、第２端子ｂ２と共通端子ｃ２とが接続されると（図１のスイッチＳＷ２における破線参照）、補正用増幅器３０の反転入力端子に反転電圧ＸＶｔが入力される。なお、このスイッチＳＷ２の選択切替は、スイッチＳＷ１と同様に、センサの出力信号Ｖｓの温度特性に基づいて制御部（図示略）から出力される制御信号ＣＳ４によって行われる。
【００１７】
補正用増幅器３０の非反転入力端子には、入力端子Ｔ２が接続され、基準電圧Ｖｒｅｆが入力される。補正用増幅器３０は、基準電圧Ｖｒｅｆを基準にして、抵抗Ｒ５及び帰還抵抗Ｒ６による利得に基づいて、温度依存電圧Ｖｔあるいは反転電圧ＸＶｔを反転させた第２補正電圧Ｖｃ２を生成する。補正用増幅器３０は、生成した第２補正電圧Ｖｃ２をオア部４０に出力する。なお、帰還抵抗Ｒ６は、可変抵抗で構成され、帰還抵抗Ｒ２と同様に、センサの出力信号Ｖｓの温度特性に基づいて制御部（図示略）から出力される制御信号ＣＳ５によってその抵抗値が調整される。本実施形態では、抵抗Ｒ５及び帰還抵抗Ｒ６による利得が「２」になるように帰還抵抗Ｒ６の抵抗値が設定されている。
【００１８】
図３に、オア部４０に出力される第１補正電圧Ｖｃ１と第２補正電圧Ｖｃ２との組み合わせ例を示した。
すなわち、図３（ａ）は、スイッチＳＷ１の第１端子ａ１と共通端子ｃ１とが接続され、スイッチＳＷ２の第１端子ａ２と共通端子ｃ２とが接続された場合の第１及び第２補正電圧Ｖｃ１，Ｖｃ２を示している。詳しくは、スイッチＳＷ１の第１端子ａ１と共通端子ｃ１とが接続されると、補正用増幅器２０の反転入力端子に温度依存電圧Ｖｔが入力される。そして、補正用増幅器２０によって、基準電圧Ｖｒｅｆを基準にして、温度依存電圧Ｖｔが利得「１」に基づいて反転され、図３（ａ）に示す第１補正電圧Ｖｃ１が生成される。また、スイッチＳＷ２の第１端子ａ２と共通端子ｃ２とが接続されると、補正用増幅器３０の反転入力端子に温度依存電圧Ｖｔが入力される。そして、補正用増幅器３０によって、基準電圧Ｖｒｅｆを基準にして、温度依存電圧Ｖｔが利得「２」に基づいて反転され、図３（ａ）に示す第２補正電圧Ｖｃ２が生成される。
【００１９】
図３（ｂ）は、スイッチＳＷ１の第２端子ｂ１と共通端子ｃ１とが接続され、スイッチＳＷ２の第２端子ｂ２と共通端子ｃ２とが接続された場合の第１及び第２補正電圧Ｖｃ１，Ｖｃ２を示している。詳しくは、スイッチＳＷ１の第２端子ｂ１と共通端子ｃ１とが接続されると、補正用増幅器２０の反転入力端子に反転電圧ＸＶｔが入力される。そして、補正用増幅器２０によって、基準電圧Ｖｒｅｆを基準にして、反転電圧ＸＶｔが利得「１」に基づいて反転され、図３（ｂ）に示す第１補正電圧Ｖｃ１が生成される。また、スイッチＳＷ２の第２端子ｂ２と共通端子ｃ２とが接続されると、補正用増幅器３０の反転入力端子に反転電圧ＸＶｔが入力される。そして、補正用増幅器３０によって、基準電圧Ｖｒｅｆを基準にして、反転電圧ＸＶｔが利得「２」に基づいて反転され、図３（ｂ）に示す第２補正電圧Ｖｃ２が生成される。
【００２０】
なお、図３（ｃ）は、スイッチＳＷ１の第１端子ａ１と共通端子ｃ１とが接続され、スイッチＳＷ２の第２端子ｂ２と共通端子ｃ２とが接続された場合を示し、図３（ｄ）は、スイッチＳＷ１の第２端子ｂ１と共通端子ｃ１とが接続され、スイッチＳＷ２の第１端子ａ２と共通端子ｃ２とが接続された場合を示している。
【００２１】
図３（ａ）〜（ｄ）に示すように、補正用増幅器２０，３０によって、温度に対する電圧変化の傾斜（度合）が異なる２つの補正電圧Ｖｃ１，Ｖｃ２が生成されて、オア部４０に出力される。この補正電圧Ｖｃ１，Ｖｃ２は同一の温度依存電圧Ｖｔと基準電圧Ｖｒｅｆとから生成されるため、その交差点が図２に示した切替温度Ｔｓになっている。そのため、第１補正電圧Ｖｃ１と第２補正電圧Ｖｃ２とは、その電圧値の大小関係が切替温度Ｔｓを境にして反転される。すなわち、例えば図３（ａ）の例では、切替温度Ｔｓを境にして、Ｖｃ１＞Ｖｃ２の大小関係からＶｃ１＜Ｖｃ２の大小関係に切り替わる。
【００２２】
図１に示すオア部４０は、入力される第１補正電圧Ｖｃ１及び第２補正電圧Ｖｃ２のうち、電圧値の低い電圧を出力電圧Ｖｏとする。図４に、このオア部４０及び補正用増幅器２０，３０の回路例を示した。
【００２３】
図４に示すように、補正用増幅器２０は、差動増幅器２１と、その差動増幅器２１の出力端子がゲートに接続されるＮチャネルＭＯＳトランジスタ２２とを含んで構成される。詳述すると、差動増幅器２１の非反転入力端子には、補正用増幅器２０の反転入力端子に入力される温度依存電圧Ｖｔあるいは反転電圧ＸＶｔが入力され、差動増幅器２１の反転入力端子には、補正用増幅器２０の非反転入力端子に入力される基準電圧Ｖｒｅｆが入力される。差動増幅器２１は、各入力端子に入力される電圧に基づいて第１電圧Ｖ１を生成して、その第１電圧Ｖ１をＮチャネルＭＯＳトランジスタ２２のゲートに供給する。ここで、第１電圧Ｖ１は、差動増幅器２１の非反転入力端子に入力される温度依存電圧Ｖｔあるいは反転電圧ＸＶｔと、反転入力端子に入力される基準電圧Ｖｒｅｆとの差分（Ｖｔ−ＶｒｅｆあるいはＸＶｔ−Ｖｒｅｆ）に、抵抗Ｒ３，Ｒ４による利得「１」を乗算した値に依存した電圧である。
【００２４】
ＮチャネルＭＯＳトランジスタ２２は、そのソースがＧＮＤに接続され、ドレインが接続点４１に接続され、オープンドレイン構造になっている。ＮチャネルＭＯＳトランジスタ２２のドレインは、定電流源４２に接続される。
【００２５】
一方、補正用増幅器３０は、差動増幅器３１と、その差動増幅器３１の出力端子がゲートに接続されるＮチャネルＭＯＳトランジスタ３２とを含んで構成される。詳述すると、差動増幅器３１の非反転入力端子には、補正用増幅器３０の反転入力端子に入力される温度依存電圧Ｖｔあるいは反転電圧ＸＶｔが入力され、差動増幅器３１の反転入力端子には、補正用増幅器３０の非反転入力端子に入力される基準電圧Ｖｒｅｆが入力される。差動増幅器３１は、各入力端子に入力される電圧に基づいて第２電圧Ｖ２を生成して、その第２電圧Ｖ２をＮチャネルＭＯＳトランジスタ３２のゲートに供給する。ここで、第２電圧Ｖ２は、差動増幅器３１の非反転入力端子に入力される温度依存電圧Ｖｔあるいは反転電圧ＸＶｔと反転入力端子に入力される基準電圧Ｖｒｅｆとの差分に、抵抗Ｒ５，Ｒ６による利得「２」を乗算した値に依存した電圧である。
【００２６】
ＮチャネルＭＯＳトランジスタ３２は、そのソースがＧＮＤに接続され、ドレインが接続点４１に接続され、オープンドレイン構造になっている。ＮチャネルＭＯＳトランジスタ２２のドレインとＮチャネルＭＯＳトランジスタ３２のドレインとは、接続点４１においてワイヤードオアにて接続される。さらに、接続点４１は、定電流源４２に接続される。すなわち、接続点４１におけるワイヤードオア接続により、接続点４１の状態は、ＮチャネルＭＯＳトランジスタ２２のドレインの出力と、ＮチャネルＭＯＳトランジスタ３２のドレインの出力とのオア論理を取った状態となる。
【００２７】
このようにオープンドレイン構造のＮチャネルＭＯＳトランジスタ２２，３２がワイヤードオア接続された接続点４１（オア部４０）からは、第１電圧Ｖ１及び第２電圧Ｖ２の大小関係に基づいて、第１補正電圧Ｖｃ１あるいは第２補正電圧Ｖｃ２（図３参照）のうち低い電圧が出力電圧Ｖｏとして出力される。すなわち、第１電圧Ｖ１が第２電圧Ｖ２よりも高い場合には、第１電圧Ｖ１を生成する差動増幅器２１を含んで構成される補正用増幅器２０によって生成される第１補正電圧Ｖｃ１が、出力電圧Ｖｏとして接続点４１から出力される。なお、このときの第１補正電圧Ｖｃ１は、第２補正電圧Ｖｃ２よりも電圧値が低い。一方、第２電圧Ｖ２が第１電圧Ｖ１よりも高い場合には、第２電圧Ｖ２を生成する差動増幅器３１を含んで構成される補正用増幅器３０によって生成される第２補正電圧Ｖｃ２が、出力電圧Ｖｏとして接続点４１から出力される。なお、このときの第２補正電圧Ｖｃ２は、第１補正電圧Ｖｃ１よりも低い。
【００２８】
このように、ＮチャネルＭＯＳトランジスタ２２，３２の各ドレインをワイヤードオア接続することによって、第１補正電圧Ｖｃ１及び第２補正電圧Ｖｃ２のうち、電圧値の低い電圧を常に出力電圧Ｖｏ（図３の実線参照）として出力することができる。また、前述のように、第１補正電圧Ｖｃ１及び第２補正電圧Ｖｃ２は、その大小関係が切替温度Ｔｓを境にして反転される。これらのことから、オア部４０から出力される出力電圧Ｖｏは、切替温度Ｔｓを境にして第１補正電圧Ｖｃ１と第２補正電圧Ｖｃ２とが切り替えられて出力される。すなわち、出力電圧Ｖｏは、切替温度Ｔｓを境にして、温度に対する電圧変化の傾斜が切り替わる。
【００２９】
図１に示すように、オア部４０は、スイッチＳＷ３の第１端子ａ３に接続されるとともに、抵抗Ｒ７を介して増幅器５０の反転入力端子に接続される。増幅器５０の非反転入力端子には、基準電圧Ｖｒｅｆが入力される。増幅器５０は、基準電圧Ｖｒｅｆを基準にして、抵抗Ｒ７及び帰還抵抗Ｒ８による利得（例えば「１」）に基づいて、出力電圧Ｖｏを反転させた反転出力電圧ＸＶｏ（図３の二点鎖線参照）を生成して、その反転出力電圧ＸＶｏをスイッチＳＷ３の第２端子ｂ３に出力する。これら増幅器５０、抵抗Ｒ７及び帰還抵抗Ｒ８により反転増幅回路が構成されている。なお、帰還抵抗Ｒ８は、可変抵抗で構成され、帰還抵抗Ｒ２と同様に、センサの出力信号Ｖｓの温度特性に基づいて制御部（図示略）から出力される制御信号ＣＳ６によってその抵抗値が調整される。この帰還抵抗Ｒ８の抵抗値を調整することにより増幅器５０による反転増幅回路の利得を調整することができる。本実施形態では、増幅器５０による反転増幅回路の利得が「１」になるように帰還抵抗Ｒ８の抵抗値が設定されている。
【００３０】
スイッチＳＷ３は、第１及び第２端子ａ３，ｂ３と共通端子ｃ３を持ち、第１端子ａ３がオア部４０に接続され、第２端子ｂ３が増幅器５０の出力端子に接続され、共通端子ｃ３が図２１に示したセンサ用増幅回路９０の入力端子に接続される。従って、第１端子ａ３と共通端子ｃ３とが接続されると（図１のスイッチＳＷ３における実線参照）、出力電圧Ｖｏが調整電圧Ｖａとして出力される。また、第２端子ｂ３と共通端子ｃ３とが接続されると（図１のスイッチＳＷ３における破線参照）、反転出力電圧ＸＶｏが調整電圧Ｖａとして出力される。なお、このスイッチＳＷ３の選択切替は、スイッチＳＷ１と同様に、センサの出力信号Ｖｓの温度特性に基づいて制御部（図示略）から出力される制御信号ＣＳ７によって行われる。
【００３１】
そして、センサ用増幅回路９０において、温度特性補正回路１から出力される調整電圧Ｖａによって、センサの出力信号Ｖｓの温度特性が補正される。さらに、センサ用増幅回路９０において、その補正された信号が所定の利得で増幅される。
【００３２】
次に、このように構成された温度特性補正回路１の動作について説明する。
はじめに、センサの出力信号Ｖｓの温度特性に基づいて制御信号ＣＳ２，ＣＳ４，ＣＳ７によって、スイッチＳＷ１〜ＳＷ３の第１端子ａ１〜ａ３と共通端子ｃ１〜ｃ３とがそれぞれ接続された場合（図３（ａ）参照）について説明する。
【００３３】
スイッチＳＷ１の第１端子ａ１と共通端子ｃ１とが接続されると、補正用増幅器２０の反転入力端子（差動増幅器２１の非反転入力端子）には、温度依存電圧Ｖｔ（図２参照）が入力される。また、差動増幅器２１の反転入力端子には、基準電圧Ｖｒｅｆが入力される。一方、スイッチＳＷ２の第１端子ａ２と共通端子ｃ２とが接続されると、補正用増幅器３０の反転入力端子（差動増幅器３１の非反転入力端子）には、上記温度依存電圧Ｖｔが入力される。また、差動増幅器３１の反転入力端子には、基準電圧Ｖｒｅｆが入力される。
【００３４】
次に、差動増幅器２１によって、温度依存電圧Ｖｔと基準電圧Ｖｒｅｆの差分（Ｖｔ−Ｖｒｅｆ）に、抵抗Ｒ３，Ｒ４による利得「１」を乗算した値｛１×（Ｖｔ−Ｖｒｅｆ）｝に依存した電圧、すなわち第１電圧Ｖ１が出力される。また、差動増幅器３１によって、温度依存電圧Ｖｔと基準電圧Ｖｒｅｆの差分（Ｖｔ−Ｖｒｅｆ）に、抵抗Ｒ５，Ｒ６による利得「２」を乗算した値｛２×（Ｖｔ−Ｖｒｅｆ）｝に依存した電圧、すなわち第２電圧Ｖ２が出力される。
【００３５】
このとき、図２に示すように、温度依存電圧Ｖｔは、切替温度Ｔｓよりも低温側では基準電圧Ｖｒｅｆよりも高く、切替温度Ｔｓよりも高温側では基準電圧Ｖｒｅｆよりも低く、切替温度Ｔｓでは基準電圧Ｖｒｅｆと等しくなっている。従って、温度依存電圧Ｖｔと基準電圧Ｖｒｅｆの差分（Ｖｔ−Ｖｒｅｆ）は、切替温度Ｔｓよりも低温側では正値になり、切替温度Ｔｓよりも高温側では負値になり、切替温度Ｔｓでは「０」になる。
【００３６】
これらのことから、切替温度Ｔｓよりも低温側では、温度依存電圧Ｖｔと基準電圧Ｖｒｅｆとの差分（Ｖｔ−Ｖｒｅｆ）が正値（Ｖｔ−Ｖｒｅｆ＞０）となるため、下記式の大小関係が得られる。
【００３７】
１×（Ｖｔ−Ｖｒｅｆ）＜２×（Ｖｔ−Ｖｒｅｆ）
これより、第１電圧Ｖ１と第２電圧Ｖ２との大小関係は、
Ｖ１＜Ｖ２
となる。従って、ＮチャネルＭＯＳトランジスタ２２，３２のドレインがワイヤードオア接続されたオア部４０からは、図３（ａ）に示すように、補正用増幅器３０によって生成される第２補正電圧Ｖｃ２が出力電圧Ｖｏとして出力される。なお、このときの第２補正電圧Ｖｃ２は、基準電圧Ｖｒｅｆを基準にして、温度依存電圧Ｖｔを２倍で反転させた電圧であり、第１補正電圧Ｖｃ１よりも電圧値が低い。
【００３８】
次に、切替温度Ｔｓの場合には、温度依存電圧Ｖｔと基準電圧Ｖｒｅｆとの差分（Ｖｔ−Ｖｒｅｆ）が「０」（Ｖｔ−Ｖｒｅｆ＝０）となるため、第１電圧Ｖ１と第２電圧Ｖ２との大小関係は、
Ｖ１＝Ｖ２
となる。従って、ＮチャネルＭＯＳトランジスタ２２，３２のドレインがワイヤードオア接続されたオア部４０からは、補正用増幅器２０．３０によって生成される第１及び第２補正電圧Ｖｃ１，Ｖｃ２が出力電圧Ｖｏとして出力される。なお、このときの第１補正電圧Ｖｃ１及び第２補正電圧Ｖｃ２は、双方共に基準電圧Ｖｒｅｆに等しい電圧である。
【００３９】
次に、切替温度Ｔｓよりも高温側では、温度依存電圧Ｖｔと基準電圧Ｖｒｅｆとの差分（Ｖｔ−Ｖｒｅｆ）が負値（Ｖｔ−Ｖｒｅｆ＜０）となるため、下記式の大小関係が得られる。
【００４０】
１×（Ｖｔ−Ｖｒｅｆ）＞２×（Ｖｔ−Ｖｒｅｆ）
これより、第１電圧Ｖ１と第２電圧Ｖ２との大小関係は、
Ｖ１＞Ｖ２
となる。従って、ＮチャネルＭＯＳトランジスタ２２，３２のドレインがワイヤードオア接続されたオア部４０からは、図３（ａ）に示すように、補正用増幅器２０によって生成される第１補正電圧Ｖｃ１が出力される。なお、このときの第１補正電圧Ｖｃ１は、基準電圧Ｖｒｅｆを基準にして、温度依存電圧Ｖｔを１倍で反転させた電圧であり、第２補正電圧Ｖｃ２よりも電圧値が低い。
【００４１】
これらより、オア部４０において、図３（ａ）に示す出力電圧Ｖｏが生成される。すなわち、オア部４０からは、第１及び第２補正電圧Ｖｃ１，Ｖｃ２のうち電圧値の低い電圧が常に出力され、切替温度Ｔｓを境にして傾きが切り替わる出力電圧Ｖｏが出力される。
【００４２】
次に、スイッチＳＷ３の第１端子ａ３と共通端子ｃ３とが接続されているため、調整電圧Ｖａとして出力電圧Ｖｏがセンサ用増幅回路９０（図２１参照）に出力される。従って、切替温度Ｔｓを境にして傾きが切り替わる調整電圧Ｖａが出力される。
【００４３】
なお、ここで、スイッチＳＷ３の第２端子ｂ３と共通端子ｃ３とが接続されている場合には、出力電圧Ｖｏが増幅器５０によって、基準電圧Ｖｒｅｆを基準にして反転されて、図３（ａ）に示す反転出力電圧ＸＶｏが調整電圧Ｖａとして出力される。この反転出力電圧ＸＶｏが調整電圧Ｖａとして出力される場合においても、切替温度Ｔｓを境にしてその傾きが切り替わる調整電圧Ｖａが出力される。
【００４４】
そして、この温度特性補正回路１から出力される調整電圧Ｖａがセンサ用増幅回路９０（図２１参照）に入力されると、センサ用増幅回路９０によって、センサの出力信号Ｖｓの温度特性が補正される。
【００４５】
次に、図２１に示すようなＶ字状の温度特性を備えた出力信号Ｖｓの温度特性を補正するための調整電圧Ｖａを生成する場合について説明する。なお、上記出力信号Ｖｓは、切替温度Ｔｓよりも低温側では温度特性補正回路１の入力端子Ｔ１に入力される温度依存電圧Ｖｔの２倍の傾きであり、切替温度Ｔｓよりも高温側では温度依存電圧の−１倍の傾きであるとする。
【００４６】
まず、出力信号Ｖｓと同様の温度特性を備えた調整電圧Ｖａを得るために、制御信号ＣＳ７によって、スイッチＳＷ３の選択切替を行う。具体的には、図３に示した出力電圧Ｖｏ及び反転出力電圧ＸＶｏの特性から、Ｖ字状の傾きを備えた調整電圧Ｖａを得るためには、反転出力電圧ＸＶｏを調整電圧Ｖａとして出力する必要がある（図３（ｃ）、（ｄ）参照）。これより、制御部（図示略）からは、スイッチＳＷ３に対して第２端子ｂ３と共通端子ｃ３とを接続させる制御信号ＣＳ７が出力される。
【００４７】
次に、出力信号Ｖｓの温度特性に基づいて、スイッチＳＷ１，ＳＷ２の選択切替及び各増幅器１０，２０，３０，５０の利得設定を行う。前述のように、出力信号Ｖｓが、切替温度Ｔｓよりも低温側ではＶｔ×２の傾きであり、切替温度Ｔｓよりも高温側ではＶｔ×（−１）の傾きであるため、オア部４０に入力される第１補正電圧Ｖｃ１及び第２補正電圧Ｖｃ２のうち、一方をＶｔ×２の傾き、他方をＶｔ×（−１）の傾きとなるように設定を行う。すなわち、図３（ｄ）に示す反転出力電圧ＸＶｏを生成するように、制御部から、スイッチＳＷ１に対して第２端子ｂ１と共通端子ｃ１とを接続させる制御信号ＣＳ２が出力され、スイッチＳＷ２に対して第１端子ａ２と共通端子ｃ２とを接続させる制御信号ＣＳ４が出力される。また、制御信号ＣＳ３によって抵抗Ｒ３，Ｒ４による利得が「１」となるように帰還抵抗Ｒ４の抵抗値が設定され、制御信号ＣＳ５によって抵抗Ｒ５，Ｒ６による利得が「２」となるように帰還抵抗Ｒ６の抵抗値が設定される。さらに、制御信号ＣＳ１，ＣＳ６によって増幅器１０，５０による反転増幅回路の利得が「１」となるように帰還抵抗Ｒ２，Ｒ８の抵抗値がそれぞれ設定される。
【００４８】
スイッチＳＷ１の第２端子ｂ１と共通端子ｃ１とが接続されると、補正用増幅器２０の反転入力端子（差動増幅器２１の非反転入力端子）には、反転電圧ＸＶｔ（図２の一点鎖線参照）が入力される。また、差動増幅器２１の反転入力端子には、基準電圧Ｖｒｅｆが入力される。一方、スイッチＳＷ２の第１端子ａ２と共通端子ｃ２とが接続されると、補正用増幅器３０の反転入力端子（差動増幅器３１の非反転入力端子）には、温度依存電圧Ｖｔ（図２参照）が入力される。また、差動増幅器３１の反転入力端子には、基準電圧Ｖｒｅｆが入力される。
【００４９】
次に、差動増幅器２１によって、反転電圧ＸＶｔと基準電圧Ｖｒｅｆの差分（ＸＶｔ−Ｖｒｅｆ）に、抵抗Ｒ３，Ｒ４による利得「１」を乗算した値｛１×（ＸＶｔ−Ｖｒｅｆ）｝に依存した電圧、すなわち第１電圧Ｖ１が出力される。また、差動増幅器３１によって、温度依存電圧Ｖｔと基準電圧Ｖｒｅｆの差分（Ｖｔ−Ｖｒｅｆ）に、抵抗Ｒ５，Ｒ６による利得「２」を乗算した値｛２×（Ｖｔ−Ｖｒｅｆ）｝に依存した電圧、すなわち第２電圧Ｖ２が出力される。
【００５０】
このとき、図２に示すように、温度依存電圧Ｖｔは、切替温度Ｔｓよりも低温側では基準電圧Ｖｒｅｆよりも高く、切替温度Ｔｓよりも高温側では基準電圧Ｖｒｅｆよりも低くなる。一方、反転電圧ＸＶｔは、温度依存電圧Ｖｔとは反対に、切替温度Ｔｓよりも低温側では基準電圧Ｖｒｅｆよりも低く、切替温度Ｔｓよりも高温側では基準電圧Ｖｒｅｆよりも高くなる。また、切替温度Ｔｓのときには、温度依存電圧Ｖｔ及び反転電圧ＸＶｔ共に基準電圧Ｖｒｅｆと等しくなる。従って、温度依存電圧Ｖｔと基準電圧Ｖｒｅｆの差分（Ｖｔ−Ｖｒｅｆ）は、切替温度Ｔｓよりも低温側では正値になり、切替温度Ｔｓよりも高温側では負値になり、切替温度Ｔｓでは「０」になる。また、反転電圧ＸＶｔと基準電圧Ｖｒｅｆの差分（ＸＶｔ−Ｖｒｅｆ）は、切替温度Ｔｓよりも低温側では負値になり、切替温度Ｔｓよりも高温側では正値になり、切替温度Ｔｓでは「０」になる。
【００５１】
これらのことから、切替温度Ｔｓよりも低温側では、温度依存電圧Ｖｔと基準電圧Ｖｒｅｆとの差分（Ｖｔ−Ｖｒｅｆ）が正値（Ｖｔ−Ｖｒｅｆ＞０）となり、反転電圧ＸＶｔと基準電圧Ｖｒｅｆとの差分（ＸＶｔ−Ｖｒｅｆ）が負値（ＸＶｔ−Ｖｒｅｆ＜０）となるため、下記式の大小関係が得られる。
【００５２】
１×（ＸＶｔ−Ｖｒｅｆ）＜２×（Ｖｔ−Ｖｒｅｆ）
これより、第１電圧Ｖ１と第２電圧Ｖ２との大小関係は、
Ｖ１＜Ｖ２
となる。従って、ＮチャネルＭＯＳトランジスタ２２，３２のドレインがワイヤードオア接続されたオア部４０からは、図３（ｄ）に示すように、補正用増幅器３０によって生成される第２補正電圧Ｖｃ２が出力される。なお、このときの第２補正電圧Ｖｃ２は、基準電圧Ｖｒｅｆを基準にして、温度依存電圧Ｖｔを２倍で反転させた電圧であり、第１補正電圧Ｖｃ１よりも電圧値が低い。
【００５３】
次に、切替温度Ｔｓのときには、温度依存電圧Ｖｔと基準電圧Ｖｒｅｆとの差分（Ｖｔ−Ｖｒｅｆ）が「０」（Ｖｔ−Ｖｒｅｆ＝０）となり、反転電圧ＸＶｔと基準電圧Ｖｒｅｆとの差分（ＸＶｔ−Ｖｒｅｆ）が「０」（ＸＶｔ−Ｖｒｅｆ＝０）となるため、第１電圧Ｖ１と第２電圧Ｖ２との大小関係は、
Ｖ１＝Ｖ２
となる。従って、ＮチャネルＭＯＳトランジスタ２２，３２のドレインがワイヤードオア接続されたオア部４０からは、補正用増幅器２０．３０によって生成される第１及び第２補正電圧Ｖｃ１，Ｖｃ２が出力電圧Ｖｏとして出力される。なお、このときの第１補正電圧Ｖｃ１及び第２補正電圧Ｖｃ２は、双方共に基準電圧Ｖｒｅｆに等しい電圧である。
【００５４】
次に、切替温度Ｔｓよりも高温側では、温度依存電圧Ｖｔと基準電圧Ｖｒｅｆとの差分（Ｖｔ−Ｖｒｅｆ）が負値（Ｖｔ−Ｖｒｅｆ＜０）となり、反転電圧ＸＶｔと基準電圧Ｖｒｅｆとの差分（ＸＶｔ−Ｖｒｅｆ）が正値（ＸＶｔ−Ｖｒｅｆ＞０）となるため、下記式の大小関係が得られる。
【００５５】
１×（ＸＶｔ−Ｖｒｅｆ）＞２×（Ｖｔ−Ｖｒｅｆ）
これより、第１電圧Ｖ１と第２電圧Ｖ２との大小関係は、
Ｖ１＞Ｖ２
となる。従って、ＮチャネルＭＯＳトランジスタ２２，３２のドレインがワイヤードオア接続されたオア部４０からは、図３（ｄ）に示すように、補正用増幅器２０によって生成される第１補正電圧Ｖｃ１が出力される。なお、このときの第１補正電圧Ｖｃ１は、基準電圧Ｖｒｅｆを基準にして、反転電圧ＸＶｔを１倍で反転させた電圧であり、第２補正電圧Ｖｃ２よりも電圧値が低い。
【００５６】
これらより、オア部４０において、図３（ｄ）に示す出力電圧Ｖｏが生成される。すなわち、オア部４０からは、第１及び第２補正電圧Ｖｃ１，Ｖｃ２のうち電圧値の低い電圧が常に出力され、切替温度Ｔｓを境にして傾きが切り替わる出力電圧Ｖｏが出力される。
【００５７】
次に、スイッチＳＷ３の第２端子ｂ３と共通端子ｃ３とが接続されているため、出力電圧Ｖｏが増幅器５０によって、基準電圧Ｖｒｅｆを基準にして反転されて、図３（ｄ）に示すＶ字状の反転出力電圧ＸＶｏが調整電圧Ｖａとして出力される。これによって、図２１に示したＶ字状の温度特性を備えた出力信号Ｖｓと同様の温度特性を備えた調整電圧Ｖａを生成することができる。従って、この調整電圧Ｖａがセンサ用増幅回路９０（図２１参照）に入力されることによって、センサ用増幅回路９０によって、センサの出力信号Ｖｓの温度特性が補正される。
【００５８】
図５は、図１に示した温度特性補正回路１に、基準電圧Ｖｒｅｆと温度特性を想定した三角波の温度依存電圧Ｖｔとを入力した場合に生成される調整電圧Ｖａについてシミュレーションした結果である。なお、温度特性補正回路１は、スイッチＳＷ１，ＳＷ３の第１端子ａ１，ａ３と共通端子ｃ１，ｃ３とがそれぞれ接続され、スイッチＳＷ２の第２端子ｂ２と共通端子ｃ２とが接続されている。
【００５９】
図５の結果から明らかなように、本実施形態の温度特性補正回路１で生成した調整電圧Ｖａでは、切替温度Ｔｓ１における第１補正電圧Ｖｃ１から第２補正電圧Ｖｃ２への切り替えが滑らかに行われている。また、切替温度Ｔｓ２においても、第２補正電圧Ｖｃ２から第１補正電圧Ｖｃ１への切り替えが滑らかに行われている。同様に、切替温度Ｔｓ３においても、第１補正電圧Ｖｃ１から第２補正電圧Ｖｃ２への切り替えが滑らかに行われている。すなわち、本実施形態では、従来のようにコンパレータ８２によるロジック的な切り替えが行われないため、切替温度Ｔｓ１，Ｔｓ２，Ｔｓ３付近においても、図２３（ｂ）に示したような不連続点の段差が生じない。従って、調整電圧Ｖａによる温度特性の補正の精度を向上させることができる。
【００６０】
以上、記述した本実施形態によれば、以下の効果を奏する。
（１）補正用増幅器２０のＮチャネルＭＯＳトランジスタ２２と補正用増幅器３０のＮチャネルＭＯＳトランジスタ３２の各ドレインをワイヤードオア接続した。これによって、補正電圧Ｖｃ１及び補正電圧Ｖｃ２のうち、電圧値の低い補正電圧を出力電圧Ｖｏとして出力することができる。このとき、第１補正電圧Ｖｃ１及び第２補正電圧Ｖｃ２は、その大小関係が切替温度Ｔｓを境にして反転されるため、出力電圧Ｖｏは、切替温度Ｔｓを境にして第１補正電圧Ｖｃ１と第２補正電圧Ｖｃ２とが切り替えられて出力される。従って、コンパレータを使用せずとも、切替温度Ｔｓを境にして、調整電圧Ｖａにおける温度に対する電圧変化の傾斜を切り替えることができる。そのため、コンパレータによる発振に類似した現象及びヒステリシス幅Ｈが生じることがないため、調整電圧Ｖａの傾きの切り替えを滑らかに行うことができる。その結果、温度特性の補正精度を向上させることができる。さらに、ヒステリシスを付加する必要がないため、温度依存電圧Ｖｔの傾斜が小さくてもよく、温度依存電圧Ｖｔの傾斜の自由度を向上させることができる。
【００６１】
（２）補正用増幅器２０，３０の帰還抵抗Ｒ４，Ｒ６を可変抵抗で構成し、その抵抗値をセンサの出力信号Ｖｓの温度特性に基づいて出力される制御信号ＣＳ３，ＣＳ５によって調整するようにした。帰還抵抗Ｒ４，Ｒ６の抵抗値を変えることによって、補正用増幅器２０，３０における利得を変更することができるため、補正用増幅器２０，３０によって生成される補正電圧Ｖｃ１，Ｖｃ２の温度特性の自由度を向上させることができる。ひいては、調整電圧Ｖａの温度特性の自由度を向上させることができる。さらに、補正対象である出力信号Ｖｓの温度特性に基づいて、補正用増幅器２０，３０における利得が設定されるため、出力信号Ｖｓの温度特性に応じた補正電圧Ｖｃ１，Ｖｃ２（調整電圧Ｖａ）を生成することができる。従って、温度特性の補正精度を向上させることができる。
【００６２】
（３）増幅器１０，５０の帰還抵抗Ｒ２，Ｒ８を可変抵抗で構成し、その抵抗値をセンサの出力信号Ｖｓの温度特性に基づいて出力される制御信号ＣＳ１，ＣＳ６によって調整するようにした。従って、出力信号Ｖｓに基づいて増幅器１０，５０による反転増幅回路の利得を変更することができるため、調整電圧Ｖａの温度特性の自由度を向上させることができるとともに、出力信号Ｖｓの温度特性に応じた調整電圧Ｖａを生成することができる。従って、温度特性の補正精度を向上させることができる。
【００６３】
（４）スイッチＳＷ１〜ＳＷ３を、センサの出力信号Ｖｓの温度特性に基づいて切り替えるようにした。これによって、出力信号Ｖｓの温度特性に応じた調整電圧Ｖａを生成することができる。
【００６４】
なお、上記実施形態は、これを適宜変更した以下の態様にて実施することもできる。
・上記実施形態では、オア部４０の電流供給部として定電流源４２に具体化したが、電流を供給できるものであれば特に制限されない。
【００６５】
・上記実施形態では、１組の温度依存電圧Ｖｔと基準電圧Ｖｒｅｆとに基づいて調整電圧Ｖａを生成するようにしたが、２組以上の温度依存電圧と基準電圧とに基づいて調整電圧Ｖａを生成するようにしてもよい。例えば、図６に示されるように、第１温度依存電圧Ｖｔ１と第１基準電圧Ｖｒｅｆ１とに基づいて第１及び第２補正電圧Ｖｃ１，Ｖｃ２をそれぞれ生成する補正用増幅器２０ａ，３０ａと、第２温度依存電圧Ｖｔ２と第２基準電圧Ｖｒｅｆ２とに基づいて第３及び第４補正電圧Ｖｃ３，Ｖｃ４を生成する補正用増幅器２０ｂ，３０ｂとを組み合わせる構成を採用してもよい。この場合、補正用増幅器２０ａ，３０ａ，２０ｂ，３０ｂの各出力端子をワイヤードオア接続し、第１〜第４補正電圧Ｖｃ１〜Ｖｃ４のうち、最も低い電圧が出力電圧Ｖｏとして出力される。すなわち、図７に示すような各補正電圧Ｖｃ１〜Ｖｃ４がオア部４０に出力されると、切替温度Ｔｓ１１よりも低い温度では、最も電圧値の低い第１補正電圧Ｖｃ１が調整電圧Ｖａとして出力され、切替温度Ｔｓ１１〜切替温度Ｔｓ１２間の温度では、第３補正電圧Ｖｃ３が調整電圧Ｖａとして出力される。また、切替温度Ｔｓ１２〜切替温度Ｔｓ１３間の温度では、第４補正電圧Ｖｃ４が調整電圧Ｖａとして出力され、切替温度Ｔｓ１３よりも高い温度では、第２補正電圧Ｖｃ２が調整電圧Ｖａとして出力される。
【００６６】
この構成によれば、図７に示した調整電圧Ｖａから明らかなように、オア部４０に入力される補正電圧を増加させるほど、調整電圧Ｖａの特性の自由度を向上させることができる。さらに、曲線状の温度特性を持つ温度依存電圧Ｖｔを混合させることによって、調整電圧Ｖａの特性の自由度をより向上させることができる。
【００６７】
・図８に示されるように、温度依存電圧Ｖｔあるいは反転電圧ＸＶｔと基準電圧Ｖｒｅｆとが入力される３つ以上（図８では３つ）の補正用増幅器２０，３０，６０を備える構成を採用してもよい。この場合、補正用増幅器２０，３０，６０の各出力端子をワイヤードオア接続し、各補正用増幅器２０，３０，６０から出力される補正電圧Ｖｃ１，Ｖｃ２，Ｖｃ３のうち、最も低い電圧が出力電圧Ｖｏとして出力される。この構成は、とくに温度依存電圧Ｖｔが曲線状の温度特性を持つ場合に効果的である。なお、補正用増幅器６０の帰還抵抗Ｒ１０を可変抵抗で構成し、補正用増幅器２０，３０と同様にその利得を調整できるようにすることが好ましい。
【００６８】
・上記実施形態における補正用増幅器２０，３０における利得に特に制限はない。すなわち、帰還抵抗Ｒ４，Ｒ６の抵抗値を変化させて、補正用増幅器２０，３０における利得を変更してもよい。もちろん、両補正用増幅器２０，３０における利得が同一であってもよい。この場合、各補正用増幅器２０，３０には、温度依存電圧Ｖｔと反転電圧ＸＶｔとがそれぞれ入力されることが好ましい。
【００６９】
・上記実施形態におけるオア部４０では、複数の補正電圧Ｖｃ１，Ｖｃ２のうち、最も低い電圧を出力電圧Ｖｏとして出力するようにしたが、複数の補正電圧のうち、最も高い電圧を出力電圧Ｖｏとして出力するようにしてもよい。
【００７０】
・上記実施形態では、差動増幅器２１，３１の出力端子が接続されるトランジスタをＭＯＳトランジスタとしたが、バイポーラトランジスタとしてもよい。この場合、各バイポーラトランジスタのコレクタがワイヤードオア接続される。
【００７１】
（第２実施形態）
以下、本発明を具体化した第２実施形態を図９〜図１１に従って説明する。先の図１〜図８に示した部材と同一の部材にはそれぞれ同一の符号を付して示し、それら各要素についての詳細な説明は省略する。
【００７２】
図９に示すように、スイッチＳＷ１の共通端子ｃ１と入力端子Ｔ２との間には、可変抵抗Ｒ２０が設けられている。この可変抵抗Ｒ２０は、センサの出力信号Ｖｓ（図２１参照）の温度特性に基づいて制御部（図示略）から出力される制御信号ＣＳ１０によってその分圧点（抵抗値）が調整される。そして、可変抵抗Ｒ２０の抵抗値に応じた電圧値の第１補正電圧Ｖｃ１１（図１１の一点鎖線参照）が複数の非反転入力端子を有する傾斜合成増幅器７０の第１非反転入力端子Ｎ１に入力される。なお、可変抵抗Ｒ２０の抵抗値を変更すると、図１１に示す第１補正電圧Ｖｃ１１の温度特性の傾きが変更される。
【００７３】
スイッチＳＷ２の共通端子ｃ２と入力端子Ｔ２との間には、可変抵抗Ｒ２１が設けられている。この可変抵抗Ｒ２１は、センサの出力信号Ｖｓの温度特性に基づいて制御部から出力される制御信号ＣＳ１１によってその抵抗値が調整される。そして、可変抵抗Ｒ２１の抵抗値に応じた電圧値の第２補正電圧Ｖｃ１２（図１１の破線参照）が傾斜合成増幅器７０の第２非反転入力端子Ｎ２に入力される。なお、可変抵抗Ｒ２１の抵抗値を変更すると、図１１に示す第２補正電圧Ｖｃ１２の温度特性の傾きが変更される。
【００７４】
この図１１は、スイッチＳＷ１の第１端子ａ１と共通端子ｃ１とが接続され、スイッチＳＷ２の第２端子ｂ２と共通端子ｃ２とが接続された場合に生成される第１及び第２補正電圧Ｖｃ１１，Ｖｃ１２を示している。ここで、電圧生成部としての可変抵抗Ｒ２０，Ｒ２１によって生成される補正電圧Ｖｃ１１，Ｖｃ１２は、温度に対する電圧変化の傾斜（度合）が互いに異なる電圧である。そのため、これら補正電圧Ｖｃ１１，Ｖｃ１２の電圧値が交差する切替温度Ｔｓを境にして、第１及び第２補正電圧Ｖｃ１１，Ｖｃ１２の電圧値の大小関係が反転される。すなわち、切替温度Ｔｓよりも低温側では、第２補正電圧Ｖｃ１２が第１補正電圧Ｖｃ１１よりも低くなり、切替温度Ｔｓよりも高温側では、反対に第１補正電圧Ｖｃ１１が第２補正電圧Ｖｃ１２よりも低くなる。
【００７５】
傾斜合成増幅器７０の反転入力端子には、抵抗Ｒ２２を介して入力端子Ｔ２が接続されるとともに、当該傾斜合成増幅器７０の出力端子が帰還抵抗Ｒ２３を介して接続されている。これら傾斜合成増幅器７０、抵抗Ｒ２２及び帰還抵抗Ｒ２３により非反転増幅回路が構成されている。なお、本実施形態では、傾斜合成増幅器７０による非反転増幅回路の利得が「１」になるように抵抗Ｒ２２及び帰還抵抗Ｒ２３の抵抗値が設定されている。
【００７６】
傾斜合成増幅器７０による非反転増幅回路は、可変抵抗Ｒ２０，Ｒ２１から第１非反転入力端子Ｎ１及び第２非反転入力端子Ｎ２にそれぞれ入力される第１及び第２補正電圧Ｖｃ１１，Ｖｃ１２のうち、電圧値の低い電圧を出力電圧Ｖｏ（図１１の実線参照）とする。このとき、第１補正電圧Ｖｃ１１及び第２補正電圧Ｖｃ１２の大小関係が切替温度Ｔｓ（交差点）を境にして反転されるため、出力電圧Ｖｏは、切替温度Ｔｓを境にして第１補正電圧Ｖｃ１１と第２補正電圧Ｖｃ１２とが切り替えられる。すなわち、傾斜合成増幅器７０による非反転増幅回路は、非反転入力端子Ｎ１，Ｎ２に入力される複数の電圧の温度特性の傾斜を合成して、出力電圧Ｖｏを生成する。そして、傾斜合成増幅器７０は、スイッチＳＷ３を介して、あるいは増幅器５０による反転増幅回路及びスイッチＳＷ３を介して、上記出力電圧Ｖｏを調整電圧Ｖａとしてセンサ用増幅回路９０（図２１参照）に出力する。図１０に、この傾斜合成増幅器７０の回路構成例を示した。
【００７７】
図１０に示すように、傾斜合成増幅器７０は、電流源７１にソースが接続されたＰチャネルＭＯＳトランジスタＱＰ１，ＱＰ２，ＱＰ３を備えている。ＭＯＳトランジスタＱＰ１のゲート（制御端子）には、当該傾斜合成増幅器７０の反転入力端子が接続されている。ＭＯＳトランジスタＱＰ１のドレインは、ＮチャネルＭＯＳトランジスタＱＮ１のドレイン及びＮチャネルＭＯＳトランジスタＱＮ１，ＱＮ２のゲートに接続されている。なお、ＭＯＳトランジスタＱＮ１，ＱＮ２のソースはグランドに接続されている。これらＮチャネルＭＯＳトランジスタＱＮ１，ＱＮ２によりカレントミラー回路が構成されている。
【００７８】
ＭＯＳトランジスタＱＰ２のゲート（制御端子）には、当該傾斜合成増幅器７０の第１非反転入力端子Ｎ１が接続され、第１補正電圧Ｖｃ１１が入力される。ＭＯＳトランジスタＱＰ３のゲート（制御端子）には、当該傾斜合成増幅器７０の第２非反転入力端子Ｎ２が接続され、第２補正電圧Ｖｃ１２が入力される。これらＭＯＳトランジスタＱＰ２，ＱＰ３は並列に接続されている。よって、ＭＯＳトランジスタＱＰ２，ＱＰ３のドレインは、ＭＯＳトランジスタＱＮ２のドレインに共通に接続されている。なお、ＰチャネルＭＯＳトランジスタＱＰ１〜ＱＰ３により差動対が構成されている。そして、上記カレントミラー回路と差動対とにより差動入力回路が構成されている。
【００７９】
ＭＯＳトランジスタＱＰ２，ＱＰ３及びＭＯＳトランジスタＱＮ２間のノードｎ１は、出力段トランジスタであるＮチャネルＭＯＳトランジスタＱＮ３のゲートに接続されている。ＭＯＳトランジスタＱＮ３のドレインは、電流源７２に接続されているとともに、出力端子Ｔｏに接続されている。この出力端子Ｔｏから上記出力電圧Ｖｏが出力される。なお、ＭＯＳトランジスタＱＮ３のソースは、グランドに接続されている。
【００８０】
次に、このように構成された傾斜合成増幅器７０を含む温度特性補正回路の動作について説明する。
はじめに、センサの出力信号Ｖｓの温度特性に基づいて制御部から、スイッチＳＷ１，ＳＷ３に対して第１端子ａ１，ａ３と共通端子ｃ１，ｃ３とをそれぞれ接続させる制御信号ＣＳ２，ＣＳ７が出力され、スイッチＳＷ２に対して第２端子ｂ２と共通端子ｃ２とを接続させる制御信号ＣＳ４が出力される。また、制御部からの制御信号ＣＳ１０，ＣＳ１１によって可変抵抗Ｒ２０，Ｒ２１の抵抗値が設定される。これにより、傾斜合成増幅器７０の第１及び第２非反転入力端子Ｎ１，Ｎ２に、図１１に示す第１及び第２補正電圧Ｖｃ１１，Ｖｃ１２が入力される。
【００８１】
次に、切替温度Ｔｓよりも低温側では、図１１に示すように、第１補正電圧Ｖｃ１１と第２補正電圧Ｖｃ１２との大小関係は、
Ｖｃ１１＞Ｖｃ１２
となる。従って、傾斜合成増幅器７０からは、第２補正電圧Ｖｃ１２が出力電圧Ｖｏとして出力される。
【００８２】
次に、切替温度Ｔｓの場合には、第１補正電圧Ｖｃ１１と第２補正電圧Ｖｃ１２との大小関係は、
Ｖｃ１１＝Ｖｃ１２
となる。従って、傾斜合成増幅器７０からは、第１及び第２補正電圧Ｖｃ１１，Ｖｃ１２が出力電圧Ｖｏとして出力される。
【００８３】
次に、切替温度Ｔｓよりも高温側では、第１補正電圧Ｖｃ１１と第２補正電圧Ｖｃ１２との大小関係は、
Ｖｃ１１＜Ｖｃ１２
となる。従って、傾斜合成増幅器７０からは、第１補正電圧Ｖｃ１１が出力電圧Ｖｏとして出力される。
【００８４】
これらより、傾斜合成増幅器７０において、第１及び第２補正電圧Ｖｃ１１，Ｖｃ１２の温度特性の傾斜が合成された出力電圧Ｖｏ（図１１の実線参照）が生成される。詳しくは、傾斜合成増幅器７０からは、非反転入力端子Ｎ１，Ｎ２に入力される第１及び第２補正電圧Ｖｃ１１，Ｖｃ１２のうち電圧値の低い電圧が常に出力され、切替温度Ｔｓを境にして傾きが切り替わる出力電圧Ｖｏが出力される。
【００８５】
次に、スイッチＳＷ３の第１端子ａ３と共通端子ｃ３とが接続されているため、調整電圧Ｖａとして出力電圧Ｖｏがセンサ用増幅回路９０（図２１参照）に出力される。従って、切替温度Ｔｓを境にして傾きが切り替わる調整電圧Ｖａが出力される。
【００８６】
なお、ここで、スイッチＳＷ３の第２端子ｂ３と共通端子ｃ３とが接続されている場合には、出力電圧Ｖｏが基準電圧Ｖｒｅｆを基準にして反転され、反転出力電圧ＸＶｏが調整電圧Ｖａとして出力される。
【００８７】
そして、この温度特性補正回路１から出力される調整電圧Ｖａがセンサ用増幅回路９０（図２１参照）に入力されると、センサ用増幅回路９０によって、センサの出力信号Ｖｓの温度特性が補正される。
【００８８】
図１２は、図１１に示した第１及び第２補正電圧Ｖｃ１１，Ｖｃ１２を傾斜合成増幅器７０の第１及び第２非反転入力端子Ｎ１，Ｎ２にそれぞれ入力した場合に生成される出力電圧Ｖｏについてシミュレーションした結果である。
【００８９】
図１２の結果から明らかなように、本実施形態の傾斜合成増幅器７０で生成した出力電圧Ｖｏ（図１２の実線参照）、切替温度Ｔｓ１における第２補正電圧Ｖｃ１２から第１補正電圧Ｖｃ１１への切り替えが滑らかに行われている。すなわち、本実施形態では、従来のようにコンパレータ８２によるロジック的な切り替えが行われないため、切替温度Ｔｓ１付近においても、図２３（ｂ）に示したような不連続点の段差が生じない。従って、この出力電圧Ｖｏに基づいて生成される調整電圧Ｖａによる温度特性の補正の精度を向上させることができる。
【００９０】
以上、説明した実施形態によれば、第１実施形態の（３）及び（４）の作用効果に加えて以下の効果を奏する。
（５）３入力端子を有する傾斜合成増幅器７０を含んで構成される増幅度「１」の非反転増幅回路を設けた。これによって、傾斜合成増幅器７０の第１及び第２非反転入力端子Ｎ１，Ｎ２にそれぞれ入力される第１及び第２補正電圧Ｖｃ１１，Ｖｃ１２のうち、電圧値の低い補正電圧が出力電圧Ｖｏとして傾斜合成増幅器７０から出力される。このとき、第１補正電圧Ｖｃ１１及び第２補正電圧Ｖｃ１２は、その大小関係が切替温度Ｔｓ（交差点）を境にして反転されるため、出力電圧Ｖｏは、切替温度Ｔｓを境にして第１補正電圧Ｖｃ１１と第２補正電圧Ｖｃ１２とが切り替えられて出力される。従って、コンパレータを使用せずとも、切替温度Ｔｓを境にして、調整電圧Ｖａにおける温度に対する電圧変化の傾斜を切り替えることができる。そのため、コンパレータによる発振に類似した現象及びヒステリシス幅Ｈが生じることがないため、調整電圧Ｖａの傾きの切り替えを滑らかに行うことができる。
【００９１】
（６）可変抵抗Ｒ２０，Ｒ２１の抵抗値を、センサの出力信号Ｖｓの温度特性に基づいて出力される制御信号ＣＳ１０，ＣＳ１１によって調整するようにした。可変抵抗Ｒ２０，Ｒ２１の抵抗値を変更することによって、第１及び第２補正電圧Ｖｃ１１，Ｖｃ１２における温度特性の傾きを変更することができるため、出力電圧Ｖｏの温度特性の自由度を向上させることができる。ひいては、調整電圧Ｖａの温度特性の自由度を向上させることができる。さらに、補正対象である出力信号Ｖｓの温度特性に基づいて、可変抵抗Ｒ２０，Ｒ２１の抵抗値が設定されるため、出力信号Ｖｓの温度特性に応じた出力電圧Ｖｏ（調整電圧Ｖａ）を生成することができる。従って、温度特性の補正精度を向上させることができる。
【００９２】
（７）上記第１実施形態では、補正用増幅器２０，３０にて生成される第１及び第２補正電圧Ｖｃ１，Ｖｃ２の温度特性の傾斜合成をオア部４０にて行うようにした。このように、補正用増幅器にて生成される補正電圧の温度特性の傾斜合成を該補正用増幅器の出力側で行う場合には、出力電圧Ｖｏの生成に使用する補正電圧の種類分の補正用増幅器が必要となる。これに対して、本実施形態の傾斜合成増幅器７０では、その入力段において、第１及び第２補正電圧Ｖｃ１１，Ｖｃ１２の温度特性の傾斜を合成するようにした。これにより、１つの傾斜合成増幅器７０にて２種類の補正電圧Ｖｃ１１，Ｖｃ１２の温度特性の傾斜を合成することができる。さらに出力電圧Ｖｏの生成に使用する補正電圧の種類が増加したとしても、傾斜合成増幅器７０の数を増大させることなく出力電圧Ｖｏを生成することが可能である。従って、複雑な温度特性を有する調整電圧Ｖａを生成する場合であっても、回路規模の増大を好適に抑制することができる。また、上記第１実施形態に比べて増幅器（補正用増幅器等）の数を減らすことができるため、オフセット電圧による誤差を小さくすることができる。
【００９３】
（他の実施形態）
なお、上記実施形態は、これを適宜変更した以下の態様にて実施することもできる。
・図１３に示されるように、３つ以上（図１３では３つ）の非反転入力端子Ｎ１〜Ｎ３を有する傾斜合成増幅器７３を備えるようにしてもよい。ここでは、傾斜合成増幅器７３の第１非反転入力端子Ｎ１に第１補正電圧Ｖｃ１１が入力され、第２非反転入力端子Ｎ２に第２補正電圧Ｖｃ１２が入力され、第３非反転入力端子Ｎ３には入力端子Ｔ２から基準電圧Ｖｒｅｆが入力される。上記第２実施形態と同様に、傾斜合成増幅器７３は、第１〜第３非反転入力端子Ｎ１〜Ｎ３に入力される第１及び第２補正電圧Ｖｃ１１，Ｖｃ１２及び基準電圧Ｖｒｅｆのうち、最も電圧値の低い電圧を出力電圧Ｖｏとして出力する。このような構成によれば、１つの傾斜合成増幅器７３によって３種類以上の電圧（補正電圧や基準電圧Ｖｒｅｆ）の温度特性の傾斜合成を実行することができる。これにより、出力電圧Ｖｏの生成に使用する電圧の種類が増加した場合における回路規模の増大を好適に抑制することができる。なお、上記傾斜合成増幅器７３の回路構成例を図１４に示した。すなわち、傾斜合成増幅器７３は、図１０に示した傾斜合成増幅器７０のＰチャネルＭＯＳトランジスタＱＰ２，ＱＰ３に、基準電圧Ｖｒｅｆの入力されるＰチャネルＭＯＳトランジスタＱＰ４が並列接続された構成となる。
【００９４】
図１５は、図１１に示した第１及び第２補正電圧Ｖｃ１１，Ｖｃ１２と、図２に示した基準電圧Ｖｒｅｆとを図１３に示す傾斜合成増幅器７３の第１〜第３非反転入力端子Ｎ１〜Ｎ３にそれぞれ入力した場合に生成される出力電圧Ｖｏについてシミュレーションした結果である。図１５に示した出力電圧Ｖｏから明らかなように、傾斜合成増幅器７５に入力される補正電圧の種類を増加させるほど、複雑な温度特性を有する出力電圧Ｖｏを生成することができる。これにより、出力電圧Ｖｏ（調整電圧Ｖａ）の温度特性の自由度を向上させることができる。
【００９５】
・上記第２実施形態では、複数の電圧（第１及び第２補正電圧Ｖｃ１１，Ｖｃ１２）を生成する電圧生成部を、増幅器１０による反転増幅回路、スイッチＳＷ１，ＳＷ２及び可変抵抗Ｒ２０，Ｒ２１により構成するようにした。これに限らず、例えば電圧生成部に傾斜合成増幅器（第１増幅器）による非反転増幅回路（第１非反転増幅回路）を設けるようにしてもよい。また、上記第２実施形態における傾斜合成増幅器７０は、非反転入力端子Ｎ１，Ｎ２に入力される補正電圧Ｖｃ１１，Ｖｃ１２のうち、電圧値の最も低い補正電圧を出力電圧Ｖｏとするようにした。これに限らず、傾斜合成増幅器７０を、非反転入力端子に入力される電圧のうち、電圧値の最も高い電圧を出力電圧Ｖｏとする増幅器に変更してもよい。
【００９６】
例えば、図１６に示されるように、第１補正電圧Ｖｃ１１及び第２補正電圧Ｖｃ１２（図１８（ａ）参照）に基づいて合成電圧Ｖｂ１を生成する増幅器７０ａによる反転増幅回路を電圧生成部に設けるようにしてもよい。また、第３補正電圧Ｖｃ１３及び第４補正電圧Ｖｃ１４（図１８（ｂ）参照）に基づいて合成電圧Ｖｂ２を生成する増幅器７０ｂによる反転増幅回路を電圧生成部に設けるようにしてもよい。ここで、増幅器７０ａ，７０ｂは、図１０に示した傾斜合成増幅器７０と略同様の構成である。さらに、上記合成電圧Ｖｂ１，Ｖｂ２が非反転入力端子Ｎ１，Ｎ２に入力され、合成電圧Ｖｂ１，Ｖｂ２のうち、電圧値の最も高い電圧を出力電圧Ｖｏとする傾斜合成増幅器７５を設けるようにしてもよい。なお、この傾斜合成増幅器７５の回路構成例を図１７に示した。
【００９７】
図１７に示すように、傾斜合成増幅器７５は、図１０に示した傾斜合成増幅器７０のＰチャネルＭＯＳトランジスタとＮチャネルＭＯＳトランジスタとを入れ替えた構成である。すなわち、傾斜合成増幅器７５は、電流源７６にソースが接続されたＮチャネルＭＯＳトランジスタＱＮ１１，ＱＮ１２，ＱＮ１３を備えている。これらＭＯＳトランジスタＱＮ１１，ＱＮ１２，ＱＮ１３のゲートには、当該傾斜合成増幅器７５の反転入力端子、第１非反転入力端子Ｎ１及び第２非反転入力端子Ｎ２がそれぞれ接続されている。ＭＯＳトランジスタＱＮ１１のドレインは、ＰチャネルＭＯＳトランジスタＱＰ１１のドレイン及びＰチャネルＭＯＳトランジスタＱＰ１１，ＱＰ１２のゲートに接続されている。ＭＯＳトランジスタＱＮ１２，ＱＮ１３のドレインは、ＰチャネルＭＯＳトランジスタＱＰ１２のドレインに共通に接続されている。
【００９８】
ＭＯＳトランジスタＱＮ１２，ＱＮ１３及びＭＯＳトランジスタＱＰ１２間のノードｎ２は、ＰチャネルＭＯＳトランジスタＱＰ１３のゲートに接続されている。ＭＯＳトランジスタＱＰ１３は、そのドレインが電流源７７に接続されているとともに、ソースが出力端子Ｔｏに接続されている。この出力端子Ｔｏから上記出力電圧Ｖｏが出力される。
【００９９】
図１８（ａ）は、同図の一点鎖線及び破線にてそれぞれ示した第１及び第２補正電圧Ｖｃ１１，Ｖｃ１２を傾斜合成増幅器７０ａの第１及び第２非反転入力端子Ｎ１，Ｎ２にそれぞれ入力した場合に生成される第１合成電圧Ｖｂ１（実線参照）についてシミュレーションした結果である。また、図１８（ｂ）は、同図の一点鎖線及び破線にてそれぞれ示した第３及び第４補正電圧Ｖｃ１３，Ｖｃ１４を傾斜合成増幅器７０ｂの第１及び第２非反転入力端子Ｎ１，Ｎ２にそれぞれ入力した場合に生成される第２合成電圧Ｖｂ２（実線参照）についてシミュレーションした結果である。この図１８から結果から明らかなように、傾斜合成増幅器７０ａ，７０ｂは、非反転入力端子Ｎ１，Ｎ２に入力される補正電圧のうち、電圧値の低い補正電圧を常に第１及び第２合成電圧Ｖｂ１，Ｖｂ２として出力するようになっている。
【０１００】
図１９は、図１８に示した第１及び第２合成電圧Ｖｂ１，Ｖｂ２が傾斜合成増幅器７５の第１及び第２非反転入力端子Ｎ１，Ｎ２にそれぞれ入力された場合に生成される出力電圧Ｖｏについてシミュレーションした結果である。この図１９の結果から明らかなように、傾斜合成増幅器７５は、非反転入力端子Ｎ１，Ｎ２に入力される合成電圧のうち、電圧値の高い合成電圧を出力電圧Ｖｏとして出力するようになっている。また、傾斜合成増幅器７５で生成した出力電圧Ｖｏでは、第１合成電圧Ｖｂ１から第２合成電圧Ｖｂ２への切り替えが滑らかに行われている。このように複数の傾斜合成増幅器を組み合わせることにより、さらに非反転入力端子に入力される電圧のうち、最も低い電圧を出力する増幅器と最も高い電圧を出力する増幅器とを組み合わせることにより、より複雑（図１９では、Ｗ型）な温度特性を備えた出力電圧Ｖｏを生成することができる。
【０１０１】
・図１６に示した傾斜合成増幅器７５には、前段の傾斜合成増幅器７０ａ，７０ｂ（電圧生成部）により生成された第１及び第２合成電圧Ｖｂ１，Ｖｂ２を入力するようにした。これに限らず、例えば傾斜合成増幅器７５に、傾斜合成増幅器７０ａにより生成された第１合成電圧Ｖｂ１と第４補正電圧Ｖｃ１４とを入力するようにしてもよい。これにより、傾斜合成増幅器７５にてＮ型の温度特性を備えた出力電圧Ｖｏを生成することができる。
【０１０２】
・上記第２実施形態における傾斜合成増幅器７０を上記傾斜合成増幅器７５に変更してもよい。
・上記第２実施形態における傾斜合成増幅器７０の非反転入力端子Ｎ１，Ｎ２には、可変抵抗Ｒ２０，Ｒ２１（電圧生成部）の抵抗値に応じた第１及び第２補正電圧Ｖｃ１１，Ｖｃ１２を入力するようにした。これに限らず、例えば傾斜合成増幅器７０の非反転入力端子に、温度依存電圧Ｖｔ、反転電圧ＸＶｔあるいは基準電圧Ｖｒｅｆを入力するようにしてもよい。
【０１０３】
・上記第２実施形態の傾斜合成増幅器７０におけるＭＯＳトランジスタＱＰ１〜ＱＰ３，ＱＮ１〜ＱＮ３をバイポーラトランジスタに変更してもよい。
・上記第２実施形態における可変抵抗Ｒ２０，Ｒ２１を抵抗値固定の分圧抵抗に変更してもよい。
【０１０４】
・上記各実施形態における温度依存電圧Ｖｔの温度特性に特に制限はない。例えば、曲線状の温度特性を備えた温度依存電圧Ｖｔとしてもよい。
・上記各実施形態では、基準電圧Ｖｒｅｆを温度に依存しない電圧としたが、基準電圧を、温度依存電圧Ｖｔと同様に温度に依存する電圧としてもよい。
【０１０５】
・上記各実施形態における増幅器１０，５０による反転増幅回路の利得に特に制限はない。すなわち、帰還抵抗Ｒ２，Ｒ８の抵抗値を変化させて、増幅器１０，５０による反転増幅回路の利得を変更してもよい。
【０１０６】
・上記各実施形態におけるスイッチＳＷ３を省略してもよい。この場合、例えば出力電圧Ｖｏを常に調整電圧Ｖａとして出力すればよい。このときには、もちろん増幅器５０による反転増幅回路も省略することができる。
【０１０７】
・上記各実施形態におけるスイッチＳＷ１，ＳＷ２を省略してもよい。この場合、例えば第１実施形態の補正用増幅器２０，３０の反転入力端子に、温度依存電圧Ｖｔを常に入力すればよい。このときには、もちろん増幅器１０による反転増幅回路も省略することができる。
【０１０８】
・上記各実施形態における帰還抵抗Ｒ２，Ｒ４，Ｒ６，Ｒ８、可変抵抗Ｒ２０，Ｒ２１の抵抗値の設定方法及びスイッチＳＷ１〜ＳＷ３の切替方法に特に制限はない。例えば、図２０に示すように、各帰還抵抗Ｒ２，Ｒ４，Ｒ６，Ｒ８及びスイッチＳＷ１〜ＳＷ３にそれぞれレジスタを接続し、そのレジスタに格納された設定に基づいて、抵抗値の設定及びスイッチの切り替えを行うようにしてもよい。この場合にも、出力信号Ｖｓの温度特性に基づいて設定値が選択されることが好ましい。
【０１０９】
・上記各実施形態では、温度依存電圧Ｖｔと基準電圧Ｖｒｅｆとに基づいて、第１補正電圧Ｖｃ１及び第２補正電圧Ｖｃ２を生成するようにしたが、温度に対する電圧変化の度合が異なって、所定の温度で交差する補正電圧が生成されればよいため、その方法に特に制限されない。
【０１１０】
以上述べたとおり、実施例では、温度特性を有する入力信号の該温度特性を補正するための調整信号を生成する温度特性補正回路において、補正電圧を生成する複数の補正電圧生成部を備え、前記複数の補正電圧生成部にて生成される複数の補正電圧は、温度に対する電圧変化の度合が互いに異なり、各温度において、前記複数の補正電圧のうち、最も電圧値の低い補正電圧あるいは最も電圧値の高い補正電圧を前記調整信号として出力する。
【０１１１】
この構成によれば、複数の補正電圧のうち、最も低い電圧あるいは最も高い電圧を調整電圧として出力することができる。各補正電圧は、温度に対して異なる電圧変化を有していることから、所定温度において他の補正電圧と交差するため、この交差点を境にして、調整電圧として出力される補正電圧が切り替えられる。さらに、補正電圧が切り替えられると、調整電圧の傾きが切り替えられる。従って、コンパレータを使用せずとも、交差点において調整電圧として出力される補正電圧を変化させることができる。そのため、コンパレータによる発振に類似した現象及びヒステリシス幅が生じることがないため、調整電圧の傾きの切り替えを滑らかに行うことができる。その結果、温度特性の補正精度を向上させることができる。
【０１１２】
他の実施例では、前記補正電圧生成部は、入力端子に入力される所定の温度特性を備えた第１温度依存信号と、温度に依存しない第１基準信号とに基づいて、前記補正電圧を生成する第１補正用増幅器から構成され、前記各第１補正用増幅器の出力端子を接続した。
【０１１３】
さらに、他の実施例では、前記第１補正用増幅器は、前記第１温度依存信号と前記第１基準信号との差分を増幅する差動増幅器と、該差動増幅器の出力端子がゲートに接続されるトランジスタとを含み、前記各トランジスタのドレインを、前記各第１補正用増幅器の出力端子とした。
【０１１４】
以上述べた構成では、補正電圧生成部の出力端子をワイヤードオア接続することによって、複数の補正電圧のうち、最も低い電圧あるいは最も高い電圧を調整電圧として出力することができる。
【０１１５】
さらに、他の実施例では、前記補正電圧生成部の１つは、前記第１温度依存信号と異なる第２温度依存信号と前記第１基準信号と異なる第２基準信号とに基づいて、前記第１補正用増幅器にて生成される前記補正電圧とは異なる補正電圧を生成する第２補正用増幅器から構成され、前記第２補正用増幅器の出力端子と前記第１補正用増幅器の出力端子とを接続した。
【０１１６】
この構成によれば、第１補正用増幅器及び第２補正用増幅器によって生成される補正電圧の自由度をより向上させることができる。ひいては、調整電圧の温度特性の自由度をより向上させることができる。
【０１１７】
なお、この構成では、第１温度依存信号及び第１基準電圧と第２温度依存信号及び第２基準電圧とによって、すなわち２組の温度依存信号及び基準電圧の組み合わせによって補正電圧を生成するようになっているが、この温度依存信号と基準電圧との組み合わせの数に特に制限はない。すなわち、３組以上の温度依存信号及び基準電圧の組み合わせにしてもよい。この場合、その組み合わせ数に応じた補正用増幅器を設けるようにすればよい。また、温度依存信号及び基準電圧のうち、どちらか一方であれば他の組み合わせの電圧と同一になってもよい。
【０１１８】
さらに、他の実施例では、前記第１温度依存信号を直線状の温度特性を備えた信号とし、前記第２温度依存信号を曲線状の温度特性を備えた信号とした。
この構成によれば、各補正用増幅器によって生成される補正電圧の自由度を向上させることができるため、調整電圧の温度特性の自由度を向上させることができる。
【０１１９】
他の実施例によれば、温度特性を有する入力信号の該温度特性を補正するための調整信号を生成する温度特性補正回路において、複数の電圧を生成する電圧生成部と、前記複数の電圧が各々入力される複数の非反転入力端子を有する増幅器を含む非反転増幅回路と、を備え、前記複数の電圧は、温度に対する電圧変化の度合が互いに異なり、前記非反転増幅回路は、各温度において、前記複数の電圧のうち、最も電圧値の低い電圧あるいは最も電圧値の高い電圧を前記調整信号とする。
【０１２０】
この構成によれば、非反転増幅回路において、複数の電圧のうち、最も低い電圧あるいは最も高い電圧が調整電圧とされる。これにより、複数の電圧の温度特性の傾きが合成されて調整電圧が生成される。詳しくは、増幅器に入力される各電圧は、温度に対して異なる電圧変化を有していることから、所定温度において他の電圧と交差するため、この交差点を境にして、調整電圧となる電圧が切り替えられる。すると、調整電圧の傾きが切り替えられる。従って、コンパレータを使用せずとも、交差点において調整電圧となる電圧の種類を変化させることができる。そのため、コンパレータによる発振に類似した現象及びヒステリシス幅が生じることがないため、調整電圧の傾きの切り替えを滑らかに行うことができる。その結果、温度特性の補正精度を向上させることができる。
【０１２１】
また、非反転増幅器回路は、複数の電圧を入力し、その内の１つの電圧を調整電圧（当該非反転増幅回路の出力信号）とするようになっている。従って、非反転増幅回路（増幅器）に入力される電圧の種類が増加したとしても、調整電圧生成のための増幅器の数を増大させることなく、所望の温度特性を備える調整電圧を生成することができる。これにより、複雑な温度特性を備える調整電圧を生成する場合においても、回路規模の増大を好適に抑制することができる。
【０１２２】
さらに、他の実施例によれば、前記増幅器は、反転入力端子に制御端子が接続される第１トランジスタと、前記複数の非反転入力端子に制御端子が各々接続される複数の第２トランジスタとからなる差動対を備え、前記複数の第２トランジスタは、それぞれ並列に接続されてなる。
【０１２３】
この構成によれば、増幅器の非反転入力端子に入力される電圧の種類が増加したとしても、第２トランジスタの数を増加させることによって、調整電圧を生成するための増幅器を増大させることなく、１つの増幅器にて所望の温度特性を備える調整電圧を生成することが可能である。
【０１２４】
さらに、他の実施例によれば、前記電圧生成部は、所定の温度特性を備えた第１温度依存信号が印加される可変抵抗を備え、前記可変抵抗の抵抗値に応じた電圧を前記増幅器の非反転入力端子に出力する。
【０１２５】
この構成によれば、増幅器の非反転入力端子に入力される電圧の電圧値を、可変抵抗の抵抗値を変更することで容易に調整することができる。これにより、調整電圧の温度特性の自由度を向上させることができる。ひいては、温度特性の補正精度を向上させることができる。
【０１２６】
さらに、他の実施例によれば、前記電圧生成部は、温度に対する電圧変化の度合が互いに異なる前記複数の電圧それぞれが複数の非反転入力端子に入力される第１増幅器を含む第１非反転増幅回路を備え、前記第１非反転増幅回路は、各温度において、前記第１増幅器に入力される前記複数の電圧のうち、最も電圧値の低い電圧あるいは最も電圧値の高い電圧を前記増幅器に出力する。
【０１２７】
この構成によれば、電圧生成部に第１増幅器を含んで構成される第１非反転増幅回路を設けたことにより、調整電圧生成のための増幅器に入力される電圧の温度特性の自由度を向上させることができる。従って、調整電圧の温度特性の自由度をより向上させることができる。ひいては、温度特性の補正精度を向上させることができる。
【０１２８】
さらに、他の実施例によれば、前記入力信号をセンサの出力信号として、前記出力信号と、上記請求項１〜９のいずれか１つに記載の温度特性補正回路にて生成される調整信号とが入力される。
【０１２９】
この構成によれば、傾きの切り替えが滑らかに行われた調整電圧によって、入力信号の温度特性を補正することができるため、補正精度を向上させることができる。
以上の様々な実施の形態をまとめると、以下のようになる。
（付記１）
温度特性を有する入力信号の該温度特性を補正するための調整信号を生成する温度特性補正回路において、
補正電圧を生成する複数の補正電圧生成部を備え、
前記複数の補正電圧生成部にて生成される複数の補正電圧は、温度に対する電圧変化の度合が互いに異なり、
各温度において、前記複数の補正電圧のうち、最も電圧値の低い補正電圧あるいは最も電圧値の高い補正電圧を前記調整信号として出力することを特徴とする温度特性補正回路。
（付記２）
前記補正電圧生成部は、入力端子に入力される所定の温度特性を備えた第１温度依存信号と、温度に依存しない第１基準信号とに基づいて、前記補正電圧を生成する第１補正用増幅器から構成され、
前記各第１補正用増幅器の出力端子を接続したことを特徴とする付記１に記載の温度特性補正回路。
（付記３）
前記第１補正用増幅器は、前記第１温度依存信号と前記第１基準信号との差分を増幅する差動増幅器と、該差動増幅器の出力端子がゲートに接続されるトランジスタとを含み、
前記各トランジスタのドレインを、前記各第１補正用増幅器の出力端子としたことを特徴とする付記２に記載の温度特性補正回路。
（付記４）
前記各トランジスタのドレインに電流供給部を接続したことを特徴とする付記３に記載の温度特性補正回路。
（付記５）
前記第１補正用増幅器は帰還抵抗を有し、前記帰還抵抗が可変抵抗であることを特徴とする付記２〜４に記載の温度特性補正回路。
（付記６）
前記帰還抵抗の抵抗値は、前記入力信号の温度特性に基づいて設定されることを特徴とする付記５に記載の温度特性補正回路。
（付記７）
前記第１温度依存信号を、前記第１基準信号を基準にして反転させた反転信号を生成する反転増幅回路を備え、
前記入力信号の温度特性に基づいて、前記第１温度依存信号及び前記反転信号のいずれか一方を選択して前記第１補正用増幅器に入力することを特徴とする付記２〜６のいずれか１つに記載の温度特性補正回路。
（付記８）
前記反転増幅回路は可変抵抗で構成した帰還抵抗を有し、該帰還抵抗の抵抗値は、前記入力信号の温度特性に基づいて設定されることを特徴とする付記７に記載の温度特性補正回路。
（付記９）
前記補正電圧生成部の１つは、前記第１温度依存信号と異なる第２温度依存信号と前記第１基準信号と異なる第２基準信号とに基づいて、前記第１補正用増幅器にて生成される前記補正電圧とは異なる補正電圧を生成する第２補正用増幅器から構成され、
前記第２補正用増幅器の出力端子と前記第１補正用増幅器の出力端子とを接続したことを特徴とする付記２〜８のいずれか１つに記載の温度特性補正回路。
（付記１０）
前記第１温度依存信号を直線状の温度特性を備えた信号とし、前記第２温度依存信号を曲線状の温度特性を備えた信号としたことを特徴とする付記９に記載の温度特性補正回路。
（付記１１）
温度特性を有する入力信号の該温度特性を補正するための調整信号を生成する温度特性補正回路において、
複数の電圧を生成する電圧生成部と、
前記複数の電圧が各々入力される複数の非反転入力端子を有する増幅器を含む非反転増幅回路と、を備え、
前記複数の電圧は、温度に対する電圧変化の度合が互いに異なり、
前記非反転増幅回路は、各温度において、前記複数の電圧のうち、最も電圧値の低い電圧あるいは最も電圧値の高い電圧を前記調整信号とすることを特徴とする温度特性補正回路。
（付記１２）
前記非反転増幅回路の増幅度が１であることを特徴とする付記１１に記載の温度特性補正回路。
（付記１３）
前記増幅器は、反転入力端子に制御端子が接続される第１トランジスタと、前記複数の非反転入力端子に制御端子が各々接続される複数の第２トランジスタとからなる差動対を備え、
前記複数の第２トランジスタは、それぞれ並列に接続されてなることを特徴とする付記１１又は１２に記載の温度特性補正回路。
（付記１４）
前記電圧生成部は、
所定の温度特性を備えた第１温度依存信号が印加される可変抵抗を備え、前記可変抵抗の抵抗値に応じた電圧を前記増幅器の非反転入力端子に出力することを特徴とする付記１１〜１３のいずれか１つに記載の温度特性補正回路。
（付記１５）
前記電圧生成部は、
温度に依存しない第１基準信号を基準にして、所定の温度特性を備えた第１温度依存信号を反転させた反転信号を生成する反転増幅回路と、
前記第１温度依存信号あるいは前記反転信号が印加される可変抵抗と、を備え、
前記可変抵抗の抵抗値に応じた電圧を前記増幅器の非反転入力端子に出力することを特徴とする付記１１〜１３のいずれか１つに記載の温度特性補正回路。
（付記１６）
前記電圧生成部は、
温度に依存しない第１基準信号を基準にして、所定の温度特性を備えた第１温度依存信号を反転させた反転信号を生成する反転増幅回路を備え、前記第１温度依存信号あるいは前記反転信号を前記増幅器の非反転入力端子に出力することを特徴とする付記１１〜１３のいずれか１つに記載の温度特性補正回路。
（付記１７）
前記可変抵抗の抵抗値は、前記入力信号の温度特性に基づいて設定されることを特徴とする付記１４〜１６のいずれか１つに記載の温度特性補正回路。
（付記１８）
前記電圧生成部は、前記温度に依存しない第１基準信号を前記増幅器の非反転入力端子に出力することを特徴とする付記１４〜１７のいずれか１つに記載の温度特性補正回路。
（付記１９）
前記電圧生成部は、
温度に対する電圧変化の度合が互いに異なる前記複数の電圧それぞれが複数の非反転入力端子に入力される第１増幅器を含む第１非反転増幅回路を備え、
前記第１非反転増幅回路は、各温度において、前記第１増幅器に入力される前記複数の電圧のうち、最も電圧値の低い電圧あるいは最も電圧値の高い電圧を前記増幅器に出力することを特徴とする付記１１〜１８のいずれか１つに記載の温度特性補正回路。
（付記２０）
温度特性を有する入力信号の該温度特性を補正するための調整信号を生成する温度特性補正回路において、
補正電圧を生成する複数の補正電圧生成部を備え、
前記複数の補正電圧生成部にて生成される複数の補正電圧は、温度に対する電圧変化の度合が互いに異なり、
前記各補正電圧の温度特性のそれぞれは、少なくとも１つの他の補正電圧と交差し、
前記各補正電圧生成部の出力端子を接続して、各温度において、前記複数の補正電圧のうち、最も電圧値の低い補正電圧あるいは最も電圧値の高い補正電圧を前記調整信号として出力することを特徴とする温度特性補正回路。
（付記２１）
前記入力信号をセンサの出力信号として、
前記出力信号と、付記１〜２０のいずれか１つに記載の温度特性補正回路にて生成される調整信号とが入力されることを特徴とするセンサ用増幅回路。
【図面の簡単な説明】
【０１３０】
【図１】第１実施形態の温度特性補正回路を示す回路図。
【図２】温度依存電圧及び基準電圧を示す特性図。
【図３】（ａ）〜（ｄ）は、それぞれ出力電圧を示す特性図。
【図４】オア部を示す回路図。
【図５】シミュレーション結果を示す波形図。
【図６】変形例の温度特性補正回路を示す回路図。
【図７】変形例における調整電圧を示す特性図。
【図８】変形例の温度特性補正回路を示す回路図。
【図９】第２実施形態の温度特性補正回路を示す回路図。
【図１０】傾斜合成増幅器の回路構成例を示す回路図。
【図１１】出力電圧を示す特性図。
【図１２】シミュレーション結果を示す説明図。
【図１３】変形例の傾斜合成増幅器を示す回路図。
【図１４】変形例の傾斜合成増幅器の回路構成例を示す回路図。
【図１５】シミュレーション結果を示す説明図。
【図１６】変形例の温度特性補正回路を示す回路図。
【図１７】変形例の傾斜合成増幅器の回路構成例を示す回路図。
【図１８】（ａ），（ｂ）は、それぞれシミュレーション結果を示す説明図。
【図１９】シミュレーション結果を示す説明図。
【図２０】変形例の温度特性補正回路を示す回路図。
【図２１】従来のセンサ用増幅回路を示す説明図。
【図２２】従来の温度特性補正回路を示す回路図。
【図２３】（ａ）は、温度依存電圧及び基準電圧を示す特性図、（ｂ）は、調整電圧を示す特性図。
【符号の説明】
【０１３１】
１  温度特性補正回路
１０  増幅器
２０，３０，６０，２０ａ，３０ａ  第１補正用増幅器（補正電圧生成部）
２０ｂ，３０ｂ  第２補正用増幅器（補正電圧生成部）
２１，３１  差動増幅器
２２，３２  ＮチャネルＭＯＳトランジスタ
４０  オア部
４２  電流供給部
７０，７５，７３  傾斜合成増幅器（増幅器）
７０ａ，７０ｂ  傾斜合成増幅器（第１増幅器）
Ｒ４，Ｒ６，Ｒ１０  帰還抵抗
Ｒ２０，Ｒ２１  可変抵抗（電圧生成部）
ＱＰ１，ＱＮ１１  第１トランジスタ
ＱＰ２，ＱＰ３，ＱＰ４，ＱＮ１２，ＱＮ１３  第２トランジスタ
Ｔ１，Ｔ２  入力端子
Ｖｔ，Ｖｔ１  第１温度依存信号
Ｖｔ２  第２温度依存信号
ＸＶｔ  反転信号
Ｖｒｅｆ，Ｖｒｅｆ１  第１基準電圧
Ｖｒｅｆ２  第２基準電圧
Ｖｃ１，Ｖｃ２  補正電圧
Ｖｃ１１，Ｖｃ１２，Ｖｃ１３，Ｖｃ１４  補正電圧（電圧）
Ｖｏ  出力電圧
Ｖａ  調整電圧
Ｖｓ  入力信号（センサの出力信号）
【図１】
0005411415.tif 000002
【図２】
0005411415.tif 000003
【図３】
0005411415.tif 000004
【図４】
0005411415.tif 000005
【図５】
0005411415.tif 000006
【図６】
0005411415.tif 000007
【図７】
0005411415.tif 000008
【図８】
0005411415.tif 000009
【図９】
0005411415.tif 000010
【図１０】
0005411415.tif 000011
【図１１】
0005411415.tif 000012
【図１２】
0005411415.tif 000013
【図１３】
0005411415.tif 000014
【図１４】
0005411415.tif 000015
【図１５】
0005411415.tif 000016
【図１６】
0005411415.tif 000017
【図１７】
0005411415.tif 000018
【図１８】
0005411415.tif 000019
【図１９】
0005411415.tif 000020
【図２０】
0005411415.tif 000021
【図２１】
0005411415.tif 000022
【図２２】
0005411415.tif 000023
【図２３】
0005411415.tif 000024